(57)【要約】      （修正有）【課題】お年寄りや歩行障害者が安心して歩行出来る安定性の高い、小型、軽量で、小回りがきく安価な歩行補助具を提供する。【解決手段】上弦部ａ１、縦部ａ２、下弦部ａ３からなる略コ形状に曲折した支持ユニットＡと、支持ユニットＡの上弦部ａ１と下弦部ａ３を縦部ａ２に対して、反対方向に構成した上弦部ｂ１、縦部ｂ２、及び支持ユニットＡの下弦部ａ３とは長さを違えて形成された下弦部ｂ３からなる略コ形状の支持ユニットＢからなる。さらに、支持ユニットＡの上弦部ａ１と支持ユニットＢの上弦部ｂ１を一直線上に連結して、縦部ａ２と縦部ｂ２が鋭角をなすように、下弦部ａ３と下弦部ｂ３を適切な間隔をとって地面に平行に配置し、その２つの下弦部ａ３、ｂ３に開き止めパイプＤを取付けて開かないようにする。使用者は、前記連結した上弦部ａ１とｂ１からなる把持部Ｃを握持して、下弦部ａ３とｂ３を接地させて使用する。【選択図】図１
0003159478.tif 000002
【実用新案登録請求の範囲】
【請求項１】
上弦部ａ１、縦部ａ２、下弦部ａ３からなる略コ形状に曲折した支持ユニットＡと、支持ユニットＡの上弦部ａ１と下弦部ａ３を縦部ａ２に対して、反対方向に構成した上弦部ｂ１、縦部ｂ２、及び支持ユニットＡの下弦部ａ３とは長さを違えて形成された下弦部ｂ３からなる略コ形状の支持ユニットＢからなり、支持ユニットＡの上弦部ａ１と支持ユニ
ットＢの上弦部ｂ１を一直線上に連結して、縦部ａ２と縦部ｂ２が鋭角をなすように、下弦部ａ３と下弦部ｂ３を適切な間隔をとって地面に平行に配置し、その２つの下弦部ａ３、ｂ３に開き止めパイプＤを取付けて開かないようにして、使用者は、前記連結した上弦部ａ１とｂ１からなる把持部Ｃを握持して、下弦部ａ３とｂ３を接地させて使用することを特徴とする歩行補助具。
【請求項２】
支持ユニットＡ、Ｂの下弦部ａ３、ｂ３に取付けた開き止めパイプＤは、アルミニウム等の軽量金属製のパイプの両端にナットを埋め込んで形成し、前記の下弦部に貫通孔を空けてボルトｇでもって取付けることを特徴とする請求項１に記載の歩行補助具。
【請求項３】
支持ユニットＡ、Ｂの上弦部ａ１、ｂ１を連結してなる把持部Ｃの外周には、握持し易いように、ゴム、スポンジ、革、樹脂等のカバーｃを取付け、接地している下弦部ａ３、ｂ３の先端部と曲折部の外周にはゴム、ポリエチレン等の緩衝材ｄを取付けていることを特徴とする請求項１又請求項２に記載の歩行補助具。
【請求項４】
支持ユニットＡ、Ｂの縦部ａ２、ｂ２において、逆Ｌ字型に曲折した上側パイプａ２１、ｂ２１とＬ字型に曲折した下側パイプａ２２、ｂ２２に分離して形成し、前記上側パイプは下側パイプよりも小径に形成されており、上側パイプを下側パイプに挿入して、使用者の身長の使い易さに合わせて、伸縮調節できることを特徴とする請求項１〜請求項３の何れかに記載の歩行補助具。
【考案の詳細な説明】
【技術分野】
【０００１】
本考案は、自立して歩行することが困難なお年寄りや歩行障害者が、安全に使用できる      歩行補助具に関するものである。
【背景技術】
【０００２】
歩行が困難な人が、自立して安全に歩行する場合、支柱を一本とした一本脚杖や、両手
両肘で支持して全体重をあずけて移動する歩行器等を、歩行補助具として使用するのが一般的である。
【０００３】
しかしながら一本脚杖は、安定性よりは使い易さを重視しており、腕の力の弱い人や、自立性の低下した人が使用するのには適さない。又、歩行器においては安定性を高めるために、大型に形成され重量のあるものが多い。従って小回りがきかないので、病院や施設のような、極めて整備された洋式環境の中での歩行訓練用としてしか使えないため、一般家屋内での使用には適切でない。
【０００４】
そこで、Ｕ字型をした石突部の上方に、平行な一対の脚部の上端部に握持部を形成して、杖のように片手歩行や、歩行器のように両手歩行が可能な歩行補助具が提案されている。(例えば特許文献１)
【０００５】
しかしながら、前記の歩行補助具においては、小型、軽量で小回りがきくように形成されているが、構成する要素が多くコスト高になる。又、片手歩行で前進する場合、Ｕ字型の石突部が横向きになるので、補助具が前方に傾きやすく倒れる危険性が考えられる。そして両手で歩行するときには、握持部が体の真正面に位置しないので、安定した歩行に難点が見受けられる。
【先行技術文献】
【特許文献】
【０００６】
【特許文献１】特開２００２−６５７７１号公報
【考案の概要】
【考案が解決しようとする課題】
【０００７】
本考案は、以上のような従来の歩行補助具の欠点を解決するために、小型、軽量で小回りがきいて、場所と使用者の障害の度合いによって、杖のように片手で歩行ができ、又、歩行器のように両手で歩行が可能な安定性の高い、歩行補助具を提供することを目的としている。
【課題を解決するための手段】
【０００８】
上記目的を達成するために、本考案は、上弦部、縦部、下弦部からなる略コ形状に曲折した支持ユニットＡと、支持ユニットＡの上弦部と長さを違えて形成された下弦部を縦部に対して反対方向に構成した支持ユニットＢからなり、２つの支持ユニットの上弦部を一直線上に連結して、縦部が鋭角をなすように、下弦部を適切な間隔をとって地面に平行に配置し、その２つの下弦部に開き止め部材を取付けて開かないようにして、使用者は、前記連結した上弦部からなる把持部を握持し、２つの下弦部を接地させて使用する歩行補助具を構成している。
【０００９】
本考案は、支持ユニットＡ、Ｂの下弦部ａ３、ｂ３に取付けた開き止めパイプＤは、両端にナットを埋め込んで形成し、前記の下弦部に貫通孔を空けてボルトｇでもって取付けることを特徴とする歩行補助具である。
【００１０】
本考案は、支持ユニットＡ、Ｂの上弦部ａ１、ｂ１を連結してなる把持部Ｃの外周には握持し易いように、ゴム、スポンジ、革、樹脂等のカバーｃを取付け、接地している下弦部ａ３、ｂ３の先端部と曲折部の外周にはゴム、ポリエチレン等の緩衝材ｄを取付けていることを特徴とする歩行補助具である。
【００１１】
本考案は、支持ユニットＡ、Ｂの縦部ａ２、ｂ２において、逆Ｌ字型に曲折した上側パイプａ２１、ｂ２１とＬ字型に曲折した下側パイプａ２２、ｂ２２に分離して形成し、前記上側パイプは下側パイプよりも小径に形成されており、上側パイプを下側パイプに挿入して、使用者の身長の使い易さに合わせて、伸縮調節できることを特徴とする歩行補助具である。
【考案の効果】
【００１２】
以上の説明から明らかなように、本考案にあっては次に列挙する効果が得られる。
(１)略コ形状に曲折した２つの支持ユニットの上弦部どうしを一直線上に連結して、一体化したシンプルな構成でなるため、小型、軽量で組立も簡単にできるので、小回りがきき且つ安価に製作が可能である。
【００１３】
(２)２つの支持ユニットの接地している下弦部により、接地面での支持面積を広く確保できるので、安定性が高く、又補助具本体が自立するので、起立時の支え具としても利用できる。
【００１４】
(３)片手で握持して前進歩行する場合、接地している長寸法の下弦部の先端部を前方に向けて歩行するので、前方に傾き難く安定感がある。
【００１５】
(４)両手で握持して前進歩行する場合、接地している短寸法に形成された下弦部の脇に、空いたスペースができるので、そのスペースに踏み込み足を入れて把持部を体の真正面で支えて、安定した姿勢で歩行ができる。
【００１６】
(５)２つの下弦部に、開かないように開き止め部材を取付けることにより、把持部にかかる体重の圧力にも下弦部の間隔寸法を常に一定に保持することができ、又縦部を構成している鋭角が正確に決定できるのて組立も容易で早くできる。
【図面の簡単な説明】
【００１７】
【図１】本考案の歩行補助具の構成  (イ)は基本構造図、(ロ)は実施形を示す外観図。
【図２】本考案の歩行補助具の上弦部の連結構成図。
【図３】本考案の歩行補助具の基本構造図の(イ)は右手使用、(ロ)は左手使用を示す平面図。
【図４】本考案の歩行補助具の開き止め部材の取付け図  (イ)は開き止めパイプのボルト締め、(ロ)はコ字型プレートのボルト締め、(ハ)は両端を半円に曲げたプレートのネジ又はビス締めの取付図。
【図５】本考案の歩行補助具の(イ)は伸縮構成を示す実施形の外観図、(ロ)はパイプ挿入部分の調節機構図。
【図６】本考案の歩行補助具の使用の状態図  (イ)は片手使用、(ロ)は両手使用の使用状態図。
【考案を実施するための形態】
【００１８】
以下、本考案の実施の形態を図に基づいて説明する。
【００１９】
図６は本考案の歩行補助具の使用の状態図を示す。(イ)のように把持部Ｃを片手で握持して使用者の一側で保持しながら杖のように使用したり、(ロ)ように、把持部Ｃを両手で握持して使用者の体の真正面で保持し、接地している短寸法の下弦部ａ３の脇の空いたスペースｅに、踏込み足を入れて歩行することが可能である。
【００２０】
図１は本考案のの歩行補助具の構成を示す。(イ)は基本構造図、(ロ)は実施形を示す外観図。(イ)の基本構造図に示すように、上弦部ａ１、縦部ａ２、下弦部ａ３からなる略コ形状に曲折したアルミニウム等の軽量金属パイプで形成した支持ユニットＡと、支持ユニットＡの上弦部ａ１と下弦部ａ３を縦部ａ２に対して反対方向に構成した上弦部ｂ１、縦部ｂ２及び支持ユニットＡの下弦部ａ３とは長さを違えて形成された下弦部ｂ３からなる略コ形状の支持ユニットＢからなり、支持ユニットＡの上弦部ａ１と支持ユニットＢの上弦部ｂ１を一直線上に連結して、縦部ａ２と縦部ｂ２が鋭角をなすように、下弦部ａ３と下弦部ｂ３を適切な間隔をとって地面に平行に配置し、その２つの下弦部ａ３、ｂ３を開き止めパイプＤを取付けて開かないようにして、使用者は、前記連結した上弦部ａ１とｂ１からなる把持部Ｃを握持して、下弦部ａ３と下弦部ｂ３を接地させて使用する。
【００２１】
本考案は、図１(ロ)の実施形の外観図に示すように、２つの支持ユニットＡ、Ｂの上弦部ａ１、ｂ１を連結してなる把持部Ｃの外周には、握持し易いように、ゴム、スポンジ、革、樹脂等のカバーｃを取付け、そして接地している下弦部ａ３、ｂ３の先端部と曲折部の外周にはゴム、ポリエチレン等の緩衝材ｄを取付けて形成している。
【００２２】
図２は本考案の連結構成図を示す。把持部Ｃを形成している上弦部ａ１、ｂ１の一方のパイプを小径に形成して、他方に挿入して連結し、ビスｆ等で固定する。連結する方法としては、溶接、接着、ネジ止め等一般的な方法で固定して形成しても支障ない。又、２つの支持ユニットを連結する例を示したが、一本のパイプを曲折して形成することも可能である。
【００２３】
図３は本考案の歩行補助具の基本構造図の平面図である。支持ユニットＡの上弦部ａ１の挿入を左右に入れ替えることで、(イ)の右勝手使用、(ロ)の左勝手使用を構成することができる。
【００２４】
図４は本考案の歩行補助具のアルミニウム等の軽量金属で形成された開き止め部材の取付け図である。図４(イ)は下弦部ａ３、ｂ３に取付ける開き止めパイプＤを、両端にナットを埋め込んで形成し、下弦部ａ３、ｂ３に貫通孔を空けてボルトｇでもって締め付けて取付ける例である。その他に、(ロ)のように、開き止めプレートＥをコ字型のプレートでボルトとナットで取付けたり、(ハ)のように両端を半円に曲げたプレートをネジｈ、ナットｉで下弦部ａ３、ｂ３に締め付けて取付ける構成がある。
【００２５】
本考案は、図５(イ)の伸縮構成の外観図に示すように、支持ユニットＡ、Ｂを縦部ａ２、ｂ２において、逆Ｌ型に曲折した上側パイプａ２１、ｂ２１とＬ型に曲折した下側パイプａ２２、ｂ２２に分離して形成し、前記上側パイプは下側パイプよりも小径に形成されており、上側パイプを下側パイプに挿入して、使用者の身長の使い易さに合わせて、図(ロ)の調節機構図のように、上記パイプを挿入して、ネジｈ等で固定して、伸縮可能にすることもできる。
【００２６】
本考案の支持ユニットのパイプをアルミニウム等の軽量金属パイプで形成する例を示したが、木材、竹、ハイテク金属(チタン、カーボン等)で形成することもできる。
【００２７】
本考案の支持ユニットのパイプに、布、皮、籐等で巻いたり、塗装を施して装飾的なイメージを演出することもできる。
【産業上の利用可能性】
【００２８】
本考案は、杖や歩行器等の歩行補助具を製造する産業で利用することができる。
【符号の説明】
【００２９】
Ａ    支持ユニットＡ
Ｂ    支持ユニットＢ
Ｃ    把持部
Ｄ    開き止めパイプ
Ｅ    開き止めプレート
ａ１    支持ユニットＡの上弦部
ａ２    支持ユニットＡの縦部
ａ３    支持ユニットＡの下弦部
ｂ１    支持ユニットＢの上弦部
ｂ２    支持ユニットＢの縦部
ｂ３    支持ユニットＢの下弦部
ａ２１  支持ユニットＡの上側パイプ
ａ２２  支持ユニットＡの下側パイプ
ｂ２１  支持ユニットＢの上側パイプ
ｂ２２  支持ユニットＢの下側パイプ
ｃ    カバー
ｄ    緩衝材
ｅ    踏込み足スペース
ｆ    ビス
ｇ    ボルト
ｈ    ネジ
ｉ    ナット
【図１】
0003159478.tif 000003
【図２】
0003159478.tif 000004
【図３】
0003159478.tif 000005
【図４】
0003159478.tif 000006
【図５】
0003159478.tif 000007
【図６】
0003159478.tif 000008